(57)【要約】      （修正有）【課題】タイヤ空気圧を維持する弁棒による空気圧維持タイヤを提供する。【解決手段】空気圧維持タイヤ組立体は、タイヤトレッド領域まで延びる第１および第２のサイドウォールによって閉じられたタイヤキャビティを有するタイヤと、タイヤキャビティ内の空気圧を予め設定された圧力レベルに維持するために圧縮空気を生成し、コンプレッションフィッティングに対する動的荷重を軽減するためのソフトチュービングおよびコンプレッションフィッティングを含むエアポンピング手段と、弁棒の外側端部に隣接して配置され、弁棒内部通路からタイヤキャビティ内へ圧縮空気が流れるように選択的に開閉動作可能なバルブハウジング１１０とを含む。バルブハウジングは、コンプレッションフィッティングに対する動的荷重を軽減するためにソフトチュービングおよびコンプレッションフィッティングによってエアポンピング手段に連結される。【選択図】図１
2017132462.tif 000002
【特許請求の範囲】
【請求項１】
空気圧維持タイヤ組立体であって、
タイヤトレッド領域まで延びる第１および第２のサイドウォールによって閉じられたタイヤキャビティを有するタイヤと、
前記タイヤキャビティ内の空気圧を予め設定された圧力レベルに維持するために圧縮空気を生成し、コンプレッションフィッティングに対する動的荷重を軽減するためのソフトチュービングおよび前記コンプレッションフィッティングを有するエアポンピング手段と、
弁棒の外側端部に隣接して配置され、弁棒内部通路からタイヤキャビティ内へ圧縮空気が流れるように選択的に開閉動作可能であって、前記コンプレッションフィッティングに対する動的荷重を軽減するために前記ソフトチュービングおよびコンプレッションフィッティングによって前記エアポンピング手段に連結されたバルブハウジングとを有し、
前記第１のサイドウォールは、転動するタイヤフットプリント内で動作可能に屈曲する少なくとも１つの屈曲領域と、前記第１のサイドウォールの前記屈曲領域内に配置された溝側壁によって画定されたサイドウォール溝とを有し、前記溝は、前記転動するタイヤフットプリント内の前記第１のサイドウォール屈曲領域が屈曲することに応じて非変形状態と変形圧搾状態との間でセグメントごとに変形することを特徴とする空気圧維持タイヤ組立体。
【請求項２】
前記ソフトチュービングは、引張り強度が１２００００ｐｓｉ未満であることを特徴とする、請求項１に記載の空気圧維持タイヤ組立体。
【請求項３】
前記バルブハウジングは円筒形であることを特徴とする、請求項１に記載の空気圧維持タイヤ組立体。
【請求項４】
前記バルブハウジングは、前記エアポンピング手段を「開」状態および「閉」状態にするために開閉する逃がし弁をさらに含むことを特徴とする、請求項１に記載の空気圧維持タイヤ組立体。
【請求項５】
前記エアポンピング手段の前記ソフトチュービングは、前記第１のタイヤサイドウォール内に配置され、前記チュービングは、前記タイヤが荷重を受けながら回転することによって漸進的に平坦化されることを特徴とする、請求項１に記載の空気圧維持タイヤ組立体。
【請求項６】
前記バルブハウジングは、当該バルブハウジングの外側端部の所に配置された手動充填組立体をさらに含むことを特徴とする、請求項５に記載の空気圧維持タイヤ組立体。
【請求項７】
前記バルブハウジングの手動充填組立体は、前記タイヤキャビティを弁棒を介して手動によって直接圧縮するのと同様に手動によって圧縮するように逆止め弁を含むことを特徴とする、請求項６に記載の空気圧維持タイヤ組立体。
【請求項８】
前記タイヤが路面上を荷重を受けながら回転し続けると、前記エアポンピング手段のチューブの一部が、タイヤフットプリントに隣接するときに順次圧搾されることを特徴とする、請求項７に記載の空気圧維持タイヤ組立体。
【請求項９】
前記エアポンピング手段の一部がセグメントごとに順次平坦化すると、空気が前記バルブハウジングおよび前記タイヤキャビティに送られることを特徴とする、請求項８に記載の空気圧維持タイヤ組立体。
【請求項１０】
前記タイヤキャビティ内の空気圧が前記予め設定された圧力レベルよりも低くなると、空気が前記バルブハウジングを通過し、前記弁棒を通過して前記タイヤキャビティに流入することを特徴とする、請求項９に記載の空気圧維持タイヤ組立体。
【請求項１１】
前記タイヤキャビティ内の空気圧が前記予め設定された圧力レベルであるとき、空気が逃がし弁を通って大気に排出されることを特徴とする、請求項１０に記載の空気圧維持タイヤ組立体。
【請求項１２】
タイヤ内を所定の空気圧に維持する方法であって、
圧縮空気をタイヤキャビティ内に送る細長い内部空気通路を有する細長い弁棒を前記タイヤのタイヤキャビティから外側に突き出るように配置するステップと、
前記弁棒上にバルブハウジングを配置するステップと、
圧縮空気が前記弁棒内部通路から前記タイヤキャビティ内に流れるように制御するために前記弁棒内部通路を選択的に開閉するステップと、
圧縮空気が前記弁棒内部通路の外側端部を通ってタイヤキャビティ内に送られるように前記バルブハウジングにエアポンピング手段を結合し、バルブハウジングコンプレッションフィッティングに対する動的荷重を軽減するためにソフトチュービングを前記コンプレッションフィッティングおよび前記バルブハウジングと相互に連結するステップとを含み、
前記エアポンピング手段は、タイヤフットプリントに隣接するときに屈曲するように動作可能な少なくとも１つの屈曲領域と、前記屈曲領域内に配置された溝側壁によって画定されたサイドウォール溝とを有する第１のサイドウォールを含み、前記溝は、前記タイヤフットプリント内の前記第１のサイドウォール屈曲領域が屈曲することに応じて非変形状態と変形圧搾状態との間でセグメントごとに変形することを特徴とする方法。
【請求項１３】
前記タイヤをリム上に支持するステップと、
前記弁棒を前記タイヤから前記リムの開口を通して延ばすステップと、
前記バルブハウジングを前記タイヤキャビティの外部に配置するステップとをさらに含むことを特徴とする、請求項１２に記載の方法。
【請求項１４】
前記弁棒通路から前記タイヤキャビティ内への空気通路を選択的に開閉する前記弁棒内の逆止め弁をさらに有することを特徴とする、請求項１３に記載の方法。
【請求項１５】
前記バルブハウジング内に逃がし弁を組み込むステップをさらに含むことを特徴とする、請求項１４に記載の方法。
【請求項１６】
前記バルブハウジングの内部チャンバを前記エアポンピング手段から圧縮空気を受け取るように結合するステップと、
前記内部チャンバ内の圧縮空気の有無に応じて前記弁棒の逆止め弁を選択的に開閉するステップとをさらに含むことを特徴とする、請求項１５に記載の方法。
【請求項１７】
前記タイヤから、前記タイヤを支持するリムを貫通して延びる開口を通して前記弁棒を延ばすステップと、
前記バルブハウジングを前記弁棒に取り付けるステップとをさらに含むことを特徴とする、請求項１６に記載の方法。
【請求項１８】
荷重を受けて回転する前記タイヤから第１のサイドウォール内に曲げ応力が伝達され、それによって空気がサイドウォール空気通路に沿ってセグメントごとに押し込まれることに応じて、拡張された直径から実質的に縮小された直径になるようにセグメントごとの圧縮が生じるように動作可能に配置された前記空気通路を前記第１のタイヤサイドウォール内に配置するステップと、
前記空気通路を前記弁棒の半径方向外側の端部に連結し、それによって加圧空気を前記タイヤキャビティに送るステップとをさらに含むことを特徴とする、請求項１７に記載の方法。
【発明の詳細な説明】
【技術分野】
【０００１】
本発明は概して、空気圧維持タイヤに関し、より詳細には、タイヤの空気圧を維持する弁棒による空気圧維持タイヤに関する。
【背景技術】
【０００２】
タイヤの空気は、通常の空気拡散によって時間の経過とともに低下する。タイヤは膨らんだ状態が自然な状態である。したがって、運転者は、繰り返しタイヤの空気圧を維持するように努め、そうしないと燃費が悪くなり、タイヤの寿命が短くなり、車両の制動・ハンドリング性能が低下する。タイヤの空気圧が著しく低くなったときに運転者に警告するタイヤ圧監視システムが提案されている。しかし、そのようなシステムは、依然として、運転者が、タイヤを推奨圧力まで再膨張させるよう警告されたときに是正措置をとることに依存している。したがって、タイヤの空気圧の経時的な低下を、運転者が介入することなく補償するためにタイヤの空気圧を自己調整する空気圧維持機能をタイヤ内に組み込むことが望ましい。
【発明の概要】
【課題を解決するための手段】
【０００３】
本発明による空気圧維持タイヤ組立体は、タイヤトレッド領域まで延びる第１および第２のサイドウォールによって閉じられたタイヤキャビティを有するタイヤと、タイヤキャビティ内の空気圧を予め設定された圧力レベルに維持するために圧縮空気を生成し、コンプレッションフィッティングに対する動的荷重を軽減するためのソフトチュービングおよびコンプレッションフィッティングを有するエアポンピング手段と、弁棒の外側端部に隣接して配置され、弁棒内部通路からタイヤキャビティ内へ圧縮空気が流れるように選択的に開閉動作可能なバルブハウジングとを含む。バルブハウジングは、コンプレッションフィッティングに対する動的荷重を軽減するためにソフトチュービングおよびコンプレッションフィッティングによってエアポンピング手段に連結される。第１のサイドウォールは、転動するタイヤフットプリント内で動作可能に屈曲する少なくとも１つの屈曲領域と、第１のサイドウォールの屈曲領域内に配置された溝側壁によって画定されたサイドウォール溝とを有し、溝は、転動するタイヤフットプリント内の第１のサイドウォール屈曲領域が屈曲することに応じて非変形状態と変形圧搾状態との間でセグメントごとに変形する。
【０００４】
組立体の別の態様によれば、ソフトチュービングは、引張り強度が１２００００ｐｓｉ未満である。
【０００５】
組立体のさらに別の態様によれば、バルブハウジングは円筒形である。
【０００６】
組立体のさらに別の態様によれば、バルブハウジングは、エアポンピング手段を「開」状態および「閉」状態にするために開閉する逃がし弁をさらに含む。
【０００７】
組立体のさらに別の態様によれば、エアポンピング手段は、第１のタイヤサイドウォール内にチューブを有する。このチューブは、タイヤが荷重を受けながら回転することによって漸進的に平坦化される。
【０００８】
組立体のさらに別の態様によれば、バルブハウジングは、バルブハウジングの外側端部の所に配置された手動充填組立体をさらに含む。
【０００９】
組立体のさらに別の態様によれば、バルブハウジングの手動充填組立体は、タイヤキャビティを弁棒を介して手動によって直接圧縮するのと同様に手動によって圧縮するように逆止め弁を含む。
【００１０】
組立体のさらに別の態様によれば、タイヤが路面上を荷重を受けながら回転し続けると、エアポンピング手段のチューブの一部が、タイヤフットプリントに隣接するときに順次圧搾される。
【００１１】
組立体のさらに別の態様によれば、エアポンピング手段の一部がセグメントごとに順次平坦化すると、空気がバルブハウジングおよびタイヤキャビティに送られる。
【００１２】
組立体の別の態様によれば、タイヤキャビティ内の空気圧が予め設定された圧力レベルよりも低くなると、空気がバルブハウジングを通過し、弁棒を通過してタイヤキャビティに流入する。
【００１３】
組立体のさらに別の態様によれば、タイヤキャビティ内の空気圧が予め設定された圧力レベルであるとき、空気は逃がし弁を通って大気に排出される。
【００１４】
本発明による方法は、タイヤ内を所定の空気圧に維持する。この方法は、圧縮空気をタイヤキャビティ内に送る細長い内部空気通路を有する細長い弁棒をタイヤのタイヤキャビティから外側に突き出るように配置するステップと、弁棒上にバルブハウジングを配置するステップと、圧縮空気が弁棒内部通路からタイヤキャビティ内に流れるように制御するために弁棒内部通路を選択的に開閉するステップと、圧縮空気が弁棒内部通路の外側端部を通ってタイヤキャビティ内に送られるようにバルブハウジングにエアポンピング手段を結合するステップとを含む。結合ステップは、バルブハウジングコンプレッションフィッティングに対する動的荷重を軽減するためにソフトチュービングをコンプレッションフィッティングおよびバルブハウジングと相互に連結することを含む。エアポンピング手段は、タイヤフットプリントに隣接するときに屈曲するように動作可能な少なくとも１つの屈曲領域と、屈曲領域内に配置された溝側壁によって画定されたサイドウォール溝とを有する第１のサイドウォールを含み、溝は、タイヤフットプリント内の第１のサイドウォールが屈曲することに応じて非変形状態と変形圧搾状態との間でセグメントごとに変形する。
【００１５】
この方法の別の態様によれば、さらなるステップは、タイヤをリム上に支持することと、弁棒をタイヤからリムの開口を通して延ばすことと、バルブハウジングをタイヤキャビティの外部に配置することとを含む。
【００１６】
この方法のさらに別の態様によれば、弁棒内の逆止め弁は、弁棒通路からタイヤキャビティ内への空気通路を選択的に開閉する。
【００１７】
この方法のさらに別の態様によれば、さらなるステップは、バルブハウジング内に逃がし弁を組み込むステップを含む。
【００１８】
この方法のさらに別の態様によれば、さらなるステップは、バルブハウジングの内部チャンバをエアポンピング手段から加圧空気を受け取るように結合するステップと、内部チャンバ内の圧縮空気の有無に応じて弁棒の逆止め弁を選択的に開閉するステップとを含む。
【００１９】
この方法のさらに別の態様によれば、さらなるステップは、タイヤから、タイヤを支持するリムを貫通して延びる開口を通して弁棒を延ばすステップと、バルブハウジングを弁棒に取り付けるステップとを含む。
【００２０】
この方法のさらに別の態様によれば、さらなるステップは、荷重を受けて回転するタイヤから第１のサイドウォール内に曲げ応力が伝達され、それによって空気がサイドウォール空気通路に沿ってセグメントごとに押し込まれることに応じて、拡張された直径から実質的に縮小された直径になるようにセグメントごとの圧縮が生じるように動作可能に配置された空気通路を第１のタイヤサイドウォール内に配置するステップと、空気通路を弁棒の半径方向外側の端部に連結し、それによって圧縮空気をタイヤキャビティに送るステップとを含む。
〈定義〉
タイヤの「アスペクト比」は、タイヤの断面幅（ＳＷ）に対するタイヤの断面高さ（ＳＨ）の比に、百分率として表せるように１００パーセントを掛けた値を意味する。
【００２１】
「非対称トレッド」は、タイヤの中心面すなわち赤道面に対して対称ではないトレッドパターンを有するトレッドを意味する。
【００２２】
「軸線方向の」および「軸線方向に」は、タイヤの回転軸に平行なラインまたは方向を意味する。
【００２３】
「チェーファー」は、コードプライを摩耗および切断から防止し、たわみをリムの上方に分散させるように、タイヤビードの外側の周囲に配置された材料の狭いストリップである。
【００２４】
「周方向の」は、軸線方向に垂直な環状のトレッドの表面の周囲に沿って延びるラインまたは方向を意味する。
【００２５】
「赤道中心面（ＣＰ）」は、タイヤの回転軸に垂直であり、かつトレッドの中心を通過する平面を意味する。
【００２６】
「フットプリント」は、零速度ならびに標準的な荷重および空気圧においてタイヤトレッドが平坦な表面に接触する接触部分または接触領域を意味する。
【００２７】
「溝」は、トレッドの周りを周方向または横方向に、直線状、曲線状、またはジグザグに延びる細長い空隙領域を意味する。周方向および横方向に延びる溝は、共有部分を有することがある。「溝幅」は、溝または溝部が占めるトレッド表面積を、幅を問題にしているその溝または溝部の長さで割った値に等しく、したがって、溝幅は、溝の長さにわたる平均幅である。溝は、タイヤにおける深さが一定でなくてもよい。溝の深さは、トレッドの円周に沿って一定でなくてもよく、あるいは一定であるがタイヤにおける別の溝の深さとは異なってもよい。そのような狭いかあるいは広い溝は、相互に連結された広い周方向溝と比べて実質的に浅い深さを有している場合、対応するトレッド領域にリブ状の特性を維持する傾向がある「タイバー」を形成すると考えられる。
【００２８】
「車内側」は、タイヤが車輪に取り付けられ、車輪が車両に取り付けられたときに車両に最も近いタイヤの側を意味する。
【００２９】
「内側の」はタイヤキャビティに向かう方向を意味する。
【００３０】
「横方向の」は軸線方向を意味する。
【００３１】
「横方向縁部」は、標準的な荷重およびタイヤ空気圧の下で測定された軸線方向において最も外側のトレッド接触部分またはフットプリントに接し、赤道中心面に平行なラインを意味する。
【００３２】
「ネット接触領域」は、トレッドの円周全体に沿った横方向縁部間の路面に接触するトレッド部材の総面積を、横方向縁部間のトレッド全体の総面積によって割った値を意味する。
【００３３】
「非方向性トレッド」は、好ましい前進方向を有さないトレッドであり、トレッドパターンを好ましい走行方向に揃えるために車両上の特定の１つまたは２つ以上の車両位置に取り付けることを必要としないトレッドを意味する。逆に、方向性トレッドパターンは、特定の車輪位置を必要とする好ましい走行方向を有する。
【００３４】
「車外側」は、タイヤがホイールに取り付けられ、ホイールが車両に取り付けられたときに車両から最も遠く離れているタイヤの側を意味する。
【００３５】
「外側の」は、タイヤキャビティから離れる方向を意味する。
【００３６】
「蠕動運動」は、空気などの収容された物質を環状の経路に沿って推進する波状の収縮による動作を意味する。
【００３７】
「ラジアル（半径方向の）」および「半径方向に」は、タイヤの回転軸に向かうかまたは離れる方向を意味する。
【００３８】
「リブ」は、少なくとも１つの周方向溝と、同様な第２の溝または横方向縁部のいずれかとによって画定され、全深さ溝によって横方向に分割されることのない、トレッド上の周方向に延びるゴムのストリップを意味する。
【００３９】
「サイプ」は、タイヤのトレッド部材に成形され、トレッド面を細分しトラクションを向上させる小さな長穴を意味し、一般に幅が狭く、タイヤのフットプリントおいて開口されたままである溝とは異なりタイヤのフットプリントにおいて閉じる。
【００４０】
「トレッド部材」または「トラクション部材」は、溝に隣接する形状を有することによって画定されるリブまたはブロック部材を意味する。
【００４１】
「トレッド弧幅」は、トレッドの横方向縁部間で測定されるトレッドの弧長を意味する。
【図面の簡単な説明】
【００４２】
本発明について、一例として添付の図面を参照して説明する。
【図１】本発明による例示的な組立体の概略断面図である。
【図２】組立体、タイヤ、チューブ、およびポンプ位置を示す概略斜視図である。
【図３】図２の概略側面図である。
【図４】本発明に使用されるＡＭＴ弁棒調整装置にポンプチューブが連結されたポンプ部分組立体を示す概略図である。
【図５】ポンプチューブ移動ハウジングおよびタイヤＡＭＴ弁棒調整装置を示す、図４の概略拡大図である。
【図６】タイヤが第１の方向に回転している状態におけるＡＭＴ弁棒調整装置にポンプチューブが連結されたポンプ部分組立体を示す概略図である。
【図７】タイヤが第２の逆方向に回転している状態におけるＡＭＴ弁棒調整装置にポンプチューブが連結されたポンプ部分組立体を示す概略図である。
【発明を実施するための形態】
【００４３】
図２〜図５を参照する。本発明に使用される例示的なタイヤ組立体１０は、タイヤ１２と、蠕動運動ポンプ組立体１４と、タイヤリム１６とを含んでもよい。タイヤ１２は、リム１６に一般的な方法によって取り付けられてもよい。タイヤ１２は、一般的な構成であってもよく、互いに向かい合うビード領域（ビード領域２２のみが示されている）からクラウンまたはタイヤトレッド領域２６まで延びる一対のサイドウォール（サイドウォール１８のみが示されている）を有している。タイヤ１２とリム１６はともにタイヤキャビティ２８を囲んでいる。
【００４４】
蠕動運動ポンプ組立体１４は、環状の溝または通路３２を囲む環状のエアチューブ３０を含んでもよい。チューブ３０は、反復的な変形サイクルに耐えることのできる、プラスチックまたはゴム化合物などの弾性的な可撓性材料によって形成されてもよい。このような構成では、チューブ３０は、外力を受けたときにタイヤ１２内に変形して平坦な状態になり、そのような力が除去されたときに最初の状態に戻ってもよい。図示の例では、応力を受けていない状態におけるチューブ３０の断面は概ね円形であってもよいが、代替断面形状が使用されてもよい。チューブ３０は、タイヤ１２を好ましい空気圧に維持するようにタイヤキャビティ２８内に空気を送り込むことを目的として必要量の空気を動作可能に移動させるのに十分な直径を有してもよい。
【００４５】
変形可能なエアチューブをタイヤ内に組み込む蠕動運動原理は、引用によって全体が本明細書に組み込まれている米国特許第８１１３２５４号公報に図示され記載されている。このシステムでは、チューブは、タイヤ内においてタイヤビード領域に近接して形成された環状のタイヤ通路内に組み込まれている。タイヤが荷重を受けながら回転すると、タイヤの外部からの空気がチューブに取り込まれ、タイヤが回転するにつれてタイヤ内のチューブが漸次圧搾されることによって空気がエアチューブに沿って送られる。したがって、空気は、出口弁に送り込まれ、次いで、タイヤキャビティ内の空気圧を所望の圧力レベルに維持するためにタイヤ内に送り込まれる。
【００４６】
チューブ３０は、タイヤ１２の溝３２内にぴったりと取り付けられ、タイヤが荷重を受けながら回転するにつれて順次平坦化してもよい。タイヤ１２が空気を空気通路／溝３２に沿って送り、空気圧を維持するためにタイヤキャビティ２８に送り込む際に、チューブ３０がセグメントごとに平坦化する。サイドウォール溝３２内にチューブ３０を使用する蠕動運動ポンピングシステム１４は、引用によって全体が本明細書に組み込まれている発行済みの米国特許第８０４２５８６号号公報に示されている。
【００４７】
ポンプチューブ３０は、概ね環状であってもよく、ビード領域２２に近接する下部タイヤサイドウォール領域を囲んでもよい。しかし、本発明から逸脱せずにチューブ３０用の他の構成が得られてもよい。チューブ３０の互いに向かい合う端部３４，３６がポンピング組立体１００に連結されてもよい。ポンピング組立体１００は、チューブ３０の端部をポンピング組立体に連結する２つのポンプチューブ１０１，１０２を含んでもよい。ポンプチューブ１０１，１０２は、タイヤ／リム組立体１２，１６の弁棒８０にねじ込み可能に取り付けられたポンピング組立体１４の概ね円筒形のハウジング１１０に取り付けられてもよい。タイヤキャビティを手動によって充填する間に空気をチューブ３０からタイヤキャビティ２８に取り込むために開閉する一方向逆止め弁７６が、弁棒８０内に配置されてもよい。バルブハウジング１１０は、ポンピング組立体１４を「開」状態および「閉」状態にするために開閉する逃がし弁１０５をさらに有してもよい。空気は、バルブハウジング１１０に取り込まれてもよく、チューブ３０からタイヤキャビティ２８に送られてもよい。上述のように、チューブ３０は、タイヤサイドウォール内の溝３２に組み込まれてもよく、タイヤ１２が荷重を受けながら回転することによって漸進的に平坦化されてもよい。
【００４８】
バルブハウジング１０１の上端または外側端部に手動充填組立体２００が配置されてもよい。手動充填組立体２００は、タイヤキャビティ２８を弁棒８０を介して手動によって直接圧縮するのと同様に手動によって圧縮することができるように、逆止め弁２０２を含んでもよい。
【００４９】
図６および図７はそれぞれ、タイヤ１２が反時計回りに回転する場合（図６）およびタイヤ１２が時計回りに回転する場合（図７）におけるＡＭＴ組立体の概略図を示す。タイヤ１２が路面上を荷重を受け続けながら回転すると、チューブ３０は、タイヤフットプリントに隣接する際に順次平坦化または圧搾される場合がある。チューブ通路３２がセグメントごとに順次平坦化すると、平坦化されたセグメントから排出された空気は図６および図７に示されている方向へハウジング１１０まで送られる。
【００５０】
空気流圧力が逆止め弁７６に対して十分な圧力であるとき、空気は、弁棒８０を通ってタイヤキャビティ２８（図６）に流入してもよい。タイヤキャビティ２８内の空気圧が設定圧力未満であるとき、空気は連結チューブ７０からバルブハウジング１０１に至り、弁棒８０およびタイヤキャビティに流れ込む。タイヤキャビティ２８内の空気圧が設定圧力以上であるとき（図７）、逆止め弁７６が閉じ、空気をバルブハウジング１１０から弁棒８０に送り込むことはできなくなる。その代わり、圧縮された空気は、逃がし弁１０５を通って大気に排出されるまでバルブハウジング１１０内に保持されてもよい。
【００５１】
弁棒８０の逆止め弁７６および手動充填組立体２００の逆止め弁２０２は、タイヤの一般的な膨張に使用される一般的な弁棒コアとバルブコアとを含んでもよい。バルブコアは、「シュレーダバルブコア」であってもよく、内部を弁軸が延びる細長いハウジングを含んでもよい。バルブシール部材が、細長いハウジング内に配置されてもよく、弁軸に結合されてもよい。バイアスばねが、弁軸を囲み、密封部材を細長いハウジング内においてバルブシール部材に対して「上昇」位置または「閉」位置に偏らせてもよい。バルブコア内の空気通路は、弁軸が移動し、それによって弁密封部材が「下降」位置または「開」位置に移動させられ、それによって大気を空気通路に進入させ、タイヤキャビティ２８の方へ送るのが可能になるまで、「閉」状態に偏らされてもよい。
【００５２】
上述の例示的な組立体１０は、ソフトチューブ３０，８０，１０１，１０２をばねクランプまたはプラスチック製スリーブクランプによって連結するのに一般的な「バーブ」を使用してもよい。そのようなばね／プラスチック製スリーブクランプの締付け力は、ばね／スリーブ内径およびチューブ肉厚に大きく依存する場合がある。ばね／スリーブ内径が小さく、チューブ肉厚が厚い場合、締付け力が強くなる場合があるが、製造／組立てが困難になることがある。さらに、動的条件の間のばね／スリーブ締付け力の変動は耐久不可能である場合がある。バーブがわずかに屈曲することによって締付け力の分布が不均等になると、場合によってはＡＭＴ組立体１０に漏出点が生じることがある。たとえば、バーブにおける動的循環運動およびその結果としての応力集中によって、バーブの先端においてチューブが切断され、バーブの疲労破壊が生じる場合がある。
【００５３】
したがって、低コスト／効率的な組立てプロセスを開発し、不均等な締付け力分布および疲労などの動的循環問題を解消し、寸法依存性およびばらつきをなくすことが望ましい。本発明による組立体３００は、これらの問題を解消するためにコンプレッションフィッティング構成およびソフトチュービングを含んでもよい。コンプレッションフィッティングは従来、各部材に対する高い圧縮力を生成するためにハードチュービングとともに使用されている。一般的なハードチュービング／圧縮組立体が、ソフトチューブ３０とソフトチューブ８０とソフトチューブ１０１とソフトチューブ１０２のうちの少なくとも１つ用の支持インサート３１０と、コンプレッションフィッティングねじ／スタッド３２０と、コンプレッションフィッティングハウジング１１０とジャンクションフィッティング３３０（図４〜図７）のうちの少なくとも１つを含む組立体３００（図１）を形成するように修正されてもよい。ソフトチューブは、ＡＭＴチューブ３０とＡＭＴチューブ８０とＡＭＴチューブ１０１とＡＭＴチューブ１０２のうちの少なくとも１つであってもよい。ソフトチュービングの材料は、引張り強度が１平方インチ当たり１２００００ポンド（ｐｓｉ）よりも低くてもよい。
【００５４】
図１に示されているように、組立体３００は、円錐状支持インサートと圧縮ねじ／スタッドを組み合わせるかまたは対にすることによって動的荷重に耐えるチューブロッキング構成を形成してもよい。空気圧シールを強化するために支持インサートとコンプレッションフィッティングとの間にガスケット（不図示）が配置されてもよい。
【００５５】
本明細書に提示された本発明の説明を考慮して本発明の変形実施形態が可能である。本発明を例示することを目的として特定の代表的な実施形態および詳細が示されたが、当業者には、本発明の範囲から逸脱せずに実施形態および詳細に様々な変更および修正を施せることが明らかになろう。したがって、以下の特許請求の範囲によって定義される本発明の対象とされる全範囲内の変更を上述の特定の実施形態に施せることを理解されたい。
【図１】
2017132462.tif 000003
【図２】
2017132462.tif 000004
【図３】
2017132462.tif 000005
【図４】
2017132462.tif 000006
【図５】
2017132462.tif 000007
【図６】
2017132462.tif 000008
【図７】
2017132462.tif 000009